【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
複数の画像の中から、この複数の画像のそれぞれの画像に含まれる人物の顔画像を検出し、個人を特定する個人特定部と、
上記複数の画像を検索し、画像集合を上記複数の中から抽出する画像検索部と、
を備えており、上記個人特定部による個人の特定結果に基づいて、上記複数の画像の中から検出されたすべての人物が、上記画像集合として抽出された画像のいずれかに含まれており、かつ上記画像集合に含まれる画像数が最小になるように、上記画像集合が上記複数の画像の中から抽出されることを特徴とする画像検索装置。
【請求項２】
上記画像検索装置は、画像の種類に応じて画像を分類する画像分類部をさらに備え、上記複数の画像は上記画像分類部で分類したいずれかの画像群に属することを特徴とする請求項１に記載の画像検索装置。
【請求項３】
複数の画像の中から、上記複数の画像のそれぞれの画像に含まれる人物の顔画像を検出し、個人を特定するステップと、
上記個人の特定結果に基づいて、上記複数の画像に含まれるすべての人物を含み、且つ画像数が最小となるように上記複数の画像の中から画像を検索し、画像集合として抽出するステップと、
を備えたことを特徴とする画像検索方法。
【請求項４】
上記画像の種類を表す情報を表示する表示部と、この表示部に表示した上記画像の種類を表す情報の中から所望の情報を選択する選択部と、この選択部を選択する操作に応答して上記画像検索部で検索抽出した画像集合の一部を表示する画像表示部と、を備えたことを特徴とする上記請求項２に記載の画像検索装置により検索抽出した画像集合を再生する画像再生装置。
【請求項５】
上記画像の種類を表す情報を表示するステップと、上記画像の種類を表す情報の中から所望の情報を選択するステップと、この所望の情報を選択する操作に応答して上記検索抽出した画像集合の一部を表示するステップと、を備えたことを特徴とする上記請求項２に記載の画像検索装置により検索抽出した画像集合を再生する画像再生方法。
【請求項６】
複数の画像の中から、この複数の画像のそれぞれの画像に含まれる人物の顔画像を検出し、個人を特定するステップと、
上記個人の特定結果に基づいて、上記複数の画像に含まれるすべての人物を含み、且つ画像数が最小となるように上記複数の画像の中から画像集合を検索抽出するステップと、
をコンピュータに実行させるための画像検索用プログラム。
【請求項７】
複数の画像の中から、この複数の画像のそれぞれの画像に含まれる人物の顔画像を検出し、個人を特定するステップと、
上記個人の特定結果に基づいて、上記複数の画像に含まれるすべての人物を含み、且つ画像数が最小となるように上記複数の画像の中から画像を検索し、画像集合として抽出するステップと、
上記検索抽出した画像集合の一部を表示するステップと、
をコンピュータに実行させるための画像再生用プログラム。
【請求項８】
上記画像を検索し、画像集合として抽出するにあたって、上記複数の画像を分類し、この分類に属する画像についてのみ検索抽出を行うことを特徴とする請求項７に記載の画像再生用プログラム。
【請求項９】
複数の画像の中から、この複数の画像のそれぞれの画像に含まれる人物の顔画像を検出し、個人を特定する個人特定ステップと、
上記個人特定ステップによる個人の特定結果に基づいて、上記複数の画像に含まれる画像のうち、最も多くの人物が含まれる第１の画像を抽出するステップと、
上記第１の画像に含まれない人物が最も多く含まれる第２の画像を抽出するステップと、
をコンピュータに実行させるための画像検索用プログラム。
【手続補正２】
【補正対象書類名】明細書
【補正対象項目名】０００７
【補正方法】変更
【補正の内容】
【０００７】
上記目的を達成するため第１の発明に係わる画像検索装置は、複数の画像の中から、この複数の画像のそれぞれの画像に含まれる人物の顔画像を検出し、個人を特定する個人特定部と、上記複数の画像を検索し、画像集合を上記複数の中から抽出する画像検索部と、を備えており、上記個人特定部による個人の特定結果に基づいて、上記複数の画像の中から検出されたすべての人物が、上記画像集合として抽出された画像のいずれかに含まれており、かつ上記画像集合に含まれる画像数が最小になるように、上記画像集合が上記複数の画像の中から抽出される。
【手続補正３】
【補正対象書類名】明細書
【補正対象項目名】０００８
【補正方法】変更
【補正の内容】
【０００８】
第２の発明に係わる画像検索装置は、上記第１の発明において、画像の種類に応じて画像を分類する画像分類部をさらに備え、上記複数の画像は上記画像分類部で分類したいずれかの画像群に属する。
【手続補正４】
【補正対象書類名】明細書
【補正対象項目名】０００９
【補正方法】変更
【補正の内容】
【０００９】
第３の発明に係わる画像検索方法は、複数の画像の中から、上記複数の画像のそれぞれの画像に含まれる人物の顔画像を検出し、個人を特定するステップと、上記個人の特定結果に基づいて、上記複数の画像に含まれるすべての人物を含み、且つ画像数が最小となるように上記複数の画像の中から画像を検索し、画像集合として抽出するステップと、を備える。
【手続補正５】
【補正対象書類名】明細書
【補正対象項目名】００１０
【補正方法】変更
【補正の内容】
【００１０】
第４の発明に係わる画像再生装置は、上記第２の発明における画像検索装置により検索抽出した画像集合を再生する画像再生装置であって、上記画像の種類を表す情報を表示する表示部と、この表示部に表示した上記画像の種類を表す情報の中から所望の情報を選択する選択部と、この選択部を選択する操作に応答して上記画像検索部で検索抽出した画像集合の一部を表示する画像表示部と、を備える。
【手続補正６】
【補正対象書類名】明細書
【補正対象項目名】００１１
【補正方法】変更
【補正の内容】
【００１１】
第５の発明に係わる画像再生方法は、上記第２の発明における画像検索装置により検索抽出した画像集合を再生する画像再生方法であって、上記画像の種類を表す情報を表示するステップと、上記画像の種類を表す情報の中から所望の情報を選択するステップと、この所望の情報を選択する操作に応答して上記検索抽出した画像集合の一部を表示するステップと、を備える。
【手続補正７】
【補正対象書類名】明細書
【補正対象項目名】００１２
【補正方法】変更
【補正の内容】
【００１２】
第６の発明に係わる画像検索用プログラムは、複数の画像の中から、この複数の画像のそれぞれの画像に含まれる人物の顔画像を検出し、個人を特定するステップと、上記個人の特定結果に基づいて、上記複数の画像に含まれるすべての人物を含み、且つ画像数が最小となるように上記複数の画像の中から画像集合を検索抽出するステップと、をコンピュータに実行させる。
【手続補正８】
【補正対象書類名】明細書
【補正対象項目名】００１３
【補正方法】変更
【補正の内容】
【００１３】
第７の発明に係わる画像再生用プログラムは、複数の画像の中から、この複数の画像のそれぞれの画像に含まれる人物の顔画像を検出し、個人を特定するステップと、上記個人の特定結果に基づいて、上記複数の画像に含まれるすべての人物を含み、且つ画像数が最小となるように上記複数の画像の中から画像を検索し、画像集合として抽出するステップと、上記検索抽出した画像集合の一部を表示するステップと、をコンピュータに実行させる。
第８の発明に係わる画像再生用プログラムは、上記第７の発明において、上記画像を検索し、画像集合として抽出するにあたって、上記複数の画像を分類し、この分類に属する画像についてのみ検索抽出を行う。